(57)【要約】【課題】異なる外形の電球であっても、電球を適切な挟持力で挟持することができると共に、その状態を容易に維持することができ、しかも、構成の簡単な電球交換器具を提供する。【解決手段】支持棒１１と、支持棒１１に対して放射方向に揺動可能に装着され、一方の端部２１ａが支持棒１１の先端より突出した複数の挟持片２１と、端部２１ａのそれぞれに放射方向内側に向けて設けられた電球挟持部２９と、挟持片２１の他方の端部２１ｂを放射方向外側に向けて付勢する弾性部材２３とを備え、電球挟持部２９間に電球を挟持して支持棒１１を回動させることにより電球を交換する電球交換器具１０であり、挟持片２１の端部２１ｂに放射方向外側から当接することにより弾性部材２３の弾性力に抗して端部２１ｂを係止するストッパ手段２５と、ストッパ手段２５の支持棒１１からの距離を調整可能な開度調整機構３５とを備えている。【選択図】  図１
2006114334.tif 000002
【特許請求の範囲】
【請求項１】
支持体の一方の端部に電球保持機構が設けられてなり、電球保持機構が、支持体に対して放射方向に揺動可能に装着され、一方の端部が支持体の先端より突出した複数の挟持片と、挟持片の一方の端部のそれぞれに放射方向内側に向けて設けられた電球挟持部と、挟持片の他方の端部を放射方向外側に向けて付勢する弾性部材とを備え、電球挟持部間に電球を挟持して支持体を回動させることにより高所の電球を交換する電球交換器具であって、
複数の挟持片の他方の端部に放射方向外側から当接することにより弾性部材の弾性力に抗して他方の端部を係止するストッパ手段と、ストッパ手段の支持体からの距離を調整可能な開度調整機構とを備えていることを特徴とする電球交換器具。
【請求項２】
ストッパ手段が挟持片の他方の端部を貫通する軸体を有し、弾性部材が軸体に沿って挟持片と支持体との間に配置された圧縮バネからなることを特徴とする請求項１に記載の電球交換器具。
【請求項３】
圧縮バネは、軸体の周囲に装着されていることを特徴とする請求項２に記載の電球交換器具。
【請求項４】
開度調整機構は、互いに螺合する雌ねじ部及び雄ねじ部からなることを特徴とする請求項１乃至は３に記載の電球交換器具。
【請求項５】
電球挟持部は、表面にクッション手段を備え、クッション手段が幅方向中間部分に窪み部を有することを特徴とする請求項１乃至は４に記載の電球交換器具。
【請求項６】
支持体の先端から電球挟持部側に突出して設けられた電球下部支持部を備え、電球下部支持部の先端に支持体に沿う方向に配置された筒状の弾性体からなる小型電球保持部を有することを特徴とする請求項１乃至は５に記載の電球交換器具。
【請求項７】
電球下部支持部は、支持体の先端に伸縮可能に装着されていることを特徴とする請求項６に記載の電球交換器具。
【発明の詳細な説明】
【技術分野】
【０００１】
本発明は、高所に設置されている照明設備等の電球を交換するための電球交換器具に関する。
【背景技術】
【０００２】
高所に設置された照明設備等の電球を交換する道具として、長尺の支持体の一端側に電球を保持する電球保持機構を有する電球交換器具が知られている。このような電球交換器具では、照明設備等の下方から作業者が電球交換器具を操作し、電球保持機構に電球を保持させて支持体を回動させることにより、電球を回動させて取外したり、装着することが可能である。
【０００３】
電球保持機構として、筒体の内表面を弾性体により構成したものが多数知られている。このような電球交換器具では、電球の外表面に筒体を嵌合させることにより、弾性体の弾性により電球を回動可能に保持できるように構成されている。しかし、電球の直径等の外形が異なる場合、筒体の内面形状が異なる電球交換器具を用いなければならない。
【０００４】
下記特許文献１では、電球保持機構が、複数の弾性片からなる電球握持部と、支持体の外側に同心状に配置されるスライド棒と、スライド棒の先端に設けられた漏斗状の押圧部とを設けた構成を有している。この電球交換器具では、電球握持部内に電球を配置し、スライド棒をスライドさせて押圧部により電球握持部を収縮させることにより、電球を保持することができる。この電球交換器具では、電球握持部を電球の大きさに応じて取換え自在に構成されているが、電球握持部の開閉動作を大きくすれば、異なる外形を有する電球であっても、同じ電球交換器具を用いて交換することができる。
【０００５】
しかし、スライド棒に装着された漏斗部により電球握持部を収縮させる構造であるため、スライド棒の移動量を作業者が調整することで、電球握持部の収縮量を調整して電球を保持しなければならず、さらに、その状態を維持しなければならない。そのため、交換作業に手間を要した。
【０００６】
下記特許文献２では、支持体の上部にアーム枢支部を設けて複数のアームを途中位置で枢支し、支持体にスライド可能なガイド部材を配置し、ガイド部材を介して第1バネ部材によりアーム下部を広げるように、即ち、アーム上部を閉じるように付勢すると共に、支持体にスライド可能に配置された電球受け部とアーム上部を連結リンクにより連結し、電球受け部を介して第２バネ部材によりアーム上部を広げる方向に付勢した電球交換器具が提案されている。
【０００７】
この電球交換器具では、電球受け部を電球の下部に当接させて押し付けると、第２バネ部材の力に抗して電球受け部を下方へ押し下げ、連結リンクを介してアーム上部を閉じることができ、アーム上部間で電球を挟持することができる。電球の下部に強く押しつければ、アーム上部の電球の挟持力を大きくして、電球を回動させることが可能である。このとき、ガイド部材は、第１バネ部材により押上げられて、アーム下部と当接した状態となる。
【０００８】
この電球交換器具では、電球に押し付けることにより、アーム上部が閉じる構造であるため、異なる大きさの電球であっても、同じ電球交換器具により交換作業を行うことができる。電球を挟持した状態では、第１バネ部材の付勢力と、第２バネ部材の付勢力と、アーム下部とガイド部材との摩擦力とのバランスにより、アーム上部の角度を維持することもできる。
【特許文献１】特開平７−１４５５９号公報
【特許文献２】特開２００３−２７２５６８号公報
【発明の開示】
【発明が解決しようとする課題】
【０００９】
しかしながら、外形が異なる電球を交換可能な従来の電球交換器具では、スライド棒のスライド操作や電球受け部の電球への押し付け操作で、電球の挟持力を得ているため、交換作業時の電球の挟持力が操作するたびに変動する。そのため、電球の挟持力が過剰になり電球を破壊したり、不足して電球を回動させ難くなるなど、交換作業を行い難かった。しかも、特許文献２のように挟持状態を容易に維持することができる電球交換器具では、複数のバネ部材の強度や摩擦力のバランスにより、アーム上部の開度を維持するため、アーム上部を開く方向に付勢するバネ部材と閉じる方向に付勢するバネ部材を組合わせるなど、複雑な構成となっていた。
【００１０】
本発明は、異なる外形の電球であっても、電球を適切な挟持力で挟持することができると共に、その状態を容易に維持することができ、しかも、構成の簡単な電球交換器具を提供することを目的とする。
【課題を解決するための手段】
【００１１】
本発明の請求項１は、支持体の一方の端部に電球保持機構が設けられてなり、電球保持機構が、支持体に対して放射方向に揺動可能に装着され、一方の端部が支持体の先端より突出した複数の挟持片と、挟持片の一方の端部のそれぞれに放射方向内側に向けて設けられた電球挟持部と、挟持片の他方の端部を放射方向外側に向けて付勢する弾性部材とを備え、電球挟持部間に電球を挟持して支持体を回動させることにより高所の電球を交換する電球交換器具であって、複数の挟持片の他方の端部に放射方向外側から当接することにより弾性部材の弾性力に抗して他方の端部を係止するストッパ手段と、ストッパ手段の支持体からの距離を調整可能な開度調整機構とを備えていることを特徴とする。
【００１２】
本発明の請求項２は、ストッパ手段が挟持片の他方の端部を貫通する軸体を有し、弾性部材が軸体に沿って挟持片と支持体との間に配置された圧縮バネからなることを特徴とする。
【００１３】
本発明の請求項３は、圧縮バネは、軸体の周囲に装着されていることを特徴とする。
【００１４】
本発明の請求項４は、開度調整機構は、互いに螺合する雌ねじ部及び雄ねじ部からなることを特徴とする。
【００１５】
本発明の請求項５は、電球挟持部は、表面にクッション手段を備え、クッション手段が幅方向中間部分に窪み部を有することを特徴とする。
【００１６】
本発明の請求項６は、支持体の先端から電球挟持部側に突出して設けられた電球下部支持部を備え、電球下部支持部の先端中心に支持体に沿う方向に配置された筒状の弾性体からなる小型電球保持部を有することを特徴とする。
【００１７】
本発明の請求項７は、電球下部支持部は、支持体の先端に伸縮可能に装着されていることを特徴とする。
【発明の効果】
【００１８】
本発明の請求項１に係る電球交換器具では、挟持片の他方の端部に放射方向外側から当接することにより弾性部材の弾性力に抗してその他方の端部を係止するストッパ手段を備えているので、各挟持片の他方の端部が放射方向外側に付勢されてストッパ手段に当接することにより、各電球挟持部をストッパ手段の支持体からの距離に対応する最小開度で維持することができる。このストッパ手段の支持体からの距離が開度調整機構により調整可能であるので、ストッパ手段を調整することにより、電球挟持部の最小開度を自在に調整することができる。
そのため、電球挟持部の最小開度を電球の形状に応じた適度な開度に調整すれば、外形の異なる電球であっても、最小開度と電球の外形との差に基づく適切な挟持力で電球を挟持することができると共に、電球を挟持した状態を容易に維持することが可能である。従って、電球の交換作業が行い易い。
しかも、挟持片の他方の端部をそれぞれ放射方向外側に向けて付勢すると共に、開度調整機構を備えたストッパ手段によりその端部を外側から係止すればよいため、構成を簡単にし易い。
【００１９】
本発明の請求項２に係る電球交換器具では、ストッパ手段が挟持片の他方の端部を貫通する軸体を有し、弾性部材が軸体に沿って挟持片と支持体との間に配置された圧縮バネからなるので、挟持片の他方の端部が軸体に案内されて揺動できると共に、その軸体に沿って圧縮バネで付勢されるため、挟持片の揺動が滑らかであり、しかも、各挟持片毎に最小開度や圧縮力を調整することができ、使い勝手がよい。
【００２０】
本発明の請求項３に係る電球交換器具では、圧縮バネが軸体の周囲に装着されているので、圧縮バネと軸体とをコンパクトに配置することができる。
【００２１】
本発明の請求項４に係る電球交換器具では、開度調整機構が互いに螺合する雌ねじ部及び雄ねじ部からなるので、支持体からのストッパ手段の距離を簡単な構成で自在に調整することができる。
【００２２】
本発明の請求項５に係る電球交換器具では、電球挟持部が表面にクッション手段を備え、このクッション手段が幅方向中間部分に窪み部を有するので、電球を挟持する際、電球の外形の最も外側に突出した部分を各クッション手段の窪み部に配置して、クッション手段を電球の外形に応じて変形させて挟持することができ、電球を安定して挟持し易い
【００２３】
本発明の請求項６に係る電球交換器具では、支持体の先端から電球挟持部側に突出して設けられた電球下部支持部を備えているので、複数の挟持片の電球挟持部により電球を挟持する際、電球の下部を電球支持部により支持することができ、電球を安定して挟持し易い。同時に、この電球下部支持部の中心に支持体に沿う方向に配置された筒状の弾性体からなる小型電球保持部を有するので、電球挟持部の最小開度より小さい小型電球であっても保持することができる。そのため、同一の電球交換器具により、より多種類の電球の交換作業を行うことができ、使い勝手がよい。
【００２４】
本発明の請求項７に係る電球交換器具では、電球下部支持部が支持体の先端に伸縮可能に装着されているので、電球下部支持具の位置を調整して電球の下部を当接させれば、挟持片の電球挟持部で電球の最適な位置を挟持させ易い。
【発明を実施するための最良の形態】
【００２５】
図１は、この実施の形態の電球交換器具の側面を示す。
この電球交換器具１０は、長尺の軽量金属パイプからなる支持体としての支持棒１１の一方の端部に電球保持機構としての電球保持装置１３が設けられ、他方の端部に把手１５が設けられた構造を有している。
【００２６】
電球保持装置１３は、図１及び図２に示すように、支持棒１１の一方の端部にリベット１６により固定されたアーム固定部１７と、このアーム固定部１７に支点ピン１９により支持棒１１の放射方向に揺動可能に装着された一対の挟持部としての揺動アーム２１と、揺動アーム２１の把手１５側端部２１ｂを放射方向外側に付勢する弾性部材としての圧縮バネ２３と、アーム固定部１７近傍から突出して揺動アーム２１の外側に当接可能に設けられたストッパ手段としてのストッパ装置２５と、アーム固定部１７から軸方向に突出して伸縮可能に装着された電球下部支持部としての伸縮ボス部材２７とを有している。
【００２７】
一対の揺動アーム２１は、支持棒１１を挟んで略１８０°となる位置に互いに対向するように配置され、中間位置で支点ピン１９により固定部材１７に揺動可能に支持されている。一方の端部２１ａ側が支持棒１１の先端より軸方向に突出しており、この端部２１ａに互いに対向する電球挟持部としての挟持面２９が設けられている。
【００２８】
挟持面２９は、一対の揺動アーム２１の放射方向内側に向けて、互いに対向するように設けられており、図３に示すように、支持棒１１側に湾曲した幅方向の形状を有している。この挟持面２９には、発泡樹脂等の板状体からなるクッション手段としてのクッションシート３１が接合されている。クッションシート３１は、中心側から見た正面視形状が略角環状となっており、中央部に窪み部としての電球配置穴３１ａが形成されている。
【００２９】
各揺動アーム２１の挟持面２９が設けられている端部２１ａ側は、図２に示すように、放射方向の厚さｔが薄い程好ましく、例えば１５ｍｍ以下、より好ましくは１０ｍｍ以下とするのが好適である。電球交換作業の際、各揺動アーム２１の端部２１ａ側が、照明器具等の電球の周りの、例えば反射板等の他の部材に接触し難くなり、より狭い間隙に装着されている電球であっても交換し易くできるからである。
【００３０】
各揺動アーム２１の端部２１ａ側は、支持棒１１に対する傾斜角度を小さくするのが好ましく、後述するように、交換される電球に応じて調整される揺動アーム２１の最小開度の範囲において、例えば支持棒１１の軸に対する端部２１ａの放射方向最外側縁２１ｅの角度が±３０°以内、より好ましくは２０°以内とするのが好適である。端部２１ａの最外側縁２１ｅの傾斜が大きい場合、或いは小さい場合でも、やはり、各揺動アーム２１の端部２１ａ側が照明器具等の電球の周りに存在する他の部材に接触し易いからである。
【００３１】
揺動アーム２１の支点ピン１９より把手１５側となる他方の端部２１ｂ側は、圧縮バネ２３により放射方向外側に向けて付勢されている。この端部２１ｂがストッパ装置２５により放射方向外側から圧縮バネ２３の弾性力に抗して係止されている。
【００３２】
このような揺動アーム２１では、端部２１ｂがストッパ装置２５により係止された状態で、挟持面２９が放射方向最内側に配置され、一対の揺動アーム２１の挟持面２９間の開度が最小開度となっている。揺動アーム２１の挟持面２９側の端部２１ａを放射方向外側に圧縮バネ２３の付勢力に抗して変位させることにより、開度を増加することが可能となっている。
【００３３】
ストッパ装置２５は、図２に示すように、アーム固定部１７の把手１５側の近傍位置で、ビス２８により支持棒１１に固定されたブロック状のストッパ固定部３３と、このストッパ固定部３３に連結された頭部付ロッド３７とを有している。ストッパ固定部３３は支持棒１１に固定された基部３３ｂから２本のロッド連結部３３ｃが、互いに略１８０°となる位置から、放射方向外側に向けて設けられている。
【００３４】
頭部付ロッド３７は、ロッド連結部３３ｃにそれぞれ連結されると共に、揺動アーム２１の端部２１ｂに形成された貫通孔２１ｃを貫通して、揺動アーム２１の端部２１ｂの外側に延びる軸体としてのストッパロッド３７ａと、このストッパロッド３７ａに一体に設けられて揺動アーム２１の端部２１ｂの外側に当接可能に配置されたストッパ当接部３７ｂとを有している。
【００３５】
ストッパ固定部３３のロッド連結部３３ｃ及びストッパロッド３７ａの周囲には、圧縮バネ２３が同芯状に装着されている。圧縮バネ２３の一方の端部２３ａはストッパ固定部３３の基部３３ｂに当接し、他方の端部２３ｂは揺動アーム２１の端部２１ｂ側の貫通孔２１ｃ周囲の内面に当接している。
【００３６】
貫通孔２１ｃは縦長の長孔を有しており、揺動アーム２１が支点ピン１９を支点に揺動する際、貫通孔２１ｃに対してストッパロッド３７ａが上下に相対移動することが可能となっている。
【００３７】
ストッパ装置２５には、ストッパ当接部３７ｂの支持棒１１からの距離を調整するための開度調整機構としての長さ調整部３５が設けられている。この実施の形態では、ストッパロッド３７ａに雄ねじ部３７ｃが設けられると共に、ストッパ固定部３３に雄ねじ部３７ｃと螺合可能な雌ねじ部３３ａが設けられ、頭部付ロッド３７を正回動又は逆回動させることにより、ストッパ当接部３７ｂの支持棒１１からの距離を調整することが可能となっている。
【００３８】
伸縮ボス部材２７は、図２及び図４に示すように、支持棒１１の先端から挟持面２９側に突出して設けられている。この伸縮ボス部材２７は、アーム固定部１７の頂部に軸方向にスライド可能に装着された伸縮ロッド３９と、この伸縮ロッド３９の端部に装着された当接ボス部４１とを有している。当接ボス部材４１は、伸縮ロット３９に固定された固定底板４１ｂと、固定底板４１ｂの周囲に固定されたボス筒体４１ｃとを有している。伸縮ロッド３９はアーム固定部１７に支持棒１１の軸方向に設けられた挿入孔１７ｂに一端側がスライド可能に挿入されて、アーム固定部１７に装着された固定ネジ４７により固定されている。
【００３９】
当接ボス部４１の中空部４１ａには、筒状の弾性体からなる小型電球保持部としての円筒ゴム管４３が支持棒１１に沿う方向に配置されている。この円筒ゴム管４３の外径は中空部４１ａより小さく、円筒ゴム管４３と当接ボス部４１の中空部４１ａの内表面との間に全周に亘り、間隙が形成されている。この円筒ゴム管４３の先端４３ａは、当接ボス部４１の先端４１ｄより軸方向に突出しており、伸縮ボス部材２７の頂部２７ａの一部を構成している。
円筒ゴム管４３には、先端４３ａから軸方向に中間位置まで延びるスリット４５が設けられており、先端４３ａ側が弾性変形し易くなっている。
【００４０】
このような構成の電球交換器具１０を用いて、高所に配置されている照明設備の電球の交換作業を行うには次のようにする。
まず、一対の揺動アーム２１のそれぞれを係止しているストッパ装置２５のストッパロッド３７ａを回動させて伸縮させることにより、各ストッパ当接部３７ｂの支持棒１１からの位置を調整する。これにより、圧縮バネ２３により付勢されている揺動アーム２１の把手側の端部２１ｂの位置を調整して、挟持面２９の最小開度を交換する電球Ｒの外形に応じた適切な開度にする。
最小開度の調整では、電球を破壊することなく電球に一対の挟持面２９を嵌合でき、同時に、電球を回動させるのに十分な力で挟持できる程度の圧縮バネ２３の付勢力が得られるように、電球外形よりやや小さい開度とするのが好適である。
【００４１】
この最小開度の調整後、或いは調整前に、電球の下部が配置される位置に伸縮ボス部材２７の頂部２７ａが配置されるように、当接ボス部４１の位置を調整し、伸縮ロッド３９を固定ネジ４７により固定する。
【００４２】
このように揺動アーム２１の挟持面２９の最小開度と伸縮ボス部材２７を調整後、照明設備の下方から、電球交換器具１０の把手１５を把持して、電球保持装置１３を照明設備に装着されている電球Ｒのガラス球ｒ１外形に嵌め込む。
このとき、図２に示すように、揺動アーム２１の挟持面２９が、電球Ｒのガラス球ｒ１の表面上を摺動しつつ、放射方向外側に押圧され、矢印Ａ方向に揺動する。揺動アーム２１の他方の端部２１ｂは矢印Ｂ方向に揺動し、圧縮バネ２３を圧縮する。
【００４３】
そして、電球Ｒの下部を、円筒ゴム管４３の先端４３ａを含む伸縮ボス部材２７の頂部２７ａに当接するまで嵌合させると、図５に示すように、各挟持面２９のクッションシート３１間に電球Ｒのガラス球ｒ１が配置される。これにより、挟持面２９の最小開度と電球Ｒのガラス球ｒ１の外形との差に基づく圧縮バネ２３の付勢力による適度な力で、電球Ｒが挟持面２９間で挟持される。
このとき、クッションシート３１が弾性変形されると共に、電球Ｒのガラス球ｒ１の表面がクッションシート３１の電球配置穴３１ａに配置されることにより、電球配置穴３１ａ周囲のクッションシート３１がガラス球ｒ１に接触した状態となる。
【００４４】
この状態で、把手１５を把持して支持棒１１を回動させると、電球保持装置１３により挟持されている電球Ｒを回動させて、図示しない照明器具のソケットから電球Ｒの口金ｒ２を取り外すことができる。
【００４５】
次に、略同等の外形を有する新たな電球を照明器具に装着するには、ストッパ装置２５を調整することなく、挟持面２９の最小開度をそのままにして、図５と同様の状態で、新たな電球Ｒを挟持面２９間に挟持させる。この状態で把手１５を把持して、電球Ｒの口金ｒ２を照明器具のソケットに当接させ、支持棒１１を取外し時とは逆方向に回動させれば、新たな電球Ｒを照明設備に装着することができる。このとき、挟持面２９による電球Ｒの挟持力は電球を取り外すときと同じになっている。
【００４６】
電球を装着後、支持棒１１を下方に引き下ろすと、挟持面２９が電球Ｒのガラス球ｒ１の表面を摺動して、電球Ｒから離脱し、これにより電球の交換作業を完了することができる。
【００４７】
複数の電球の交換作業を行うには、各電球が略同一の外形形状を有する場合、ストッパ装置２５の調整を行うことなく、同様の操作を繰り返すことにより行うことができる。
【００４８】
異なる外形の電球の場合には、電球の外形に応じて、適宜、ストッパ装置２５及び／又は下部電球支持部２９の位置を調整して、電球Ｒを挟持面２９に挟持乃至は離脱可能にすればよい。例えば、前回交換した電球より外形の小さい電球を交換する場合には、図６に示すように、ストッパ装置２５を回動させて支持棒１１とストッパ当接部３７ｂとの間の距離を延ばすことにより、挟持面２９間の最小開度を収縮させ、伸縮ボス部材２７をアーム固定部１７から引出して浅い位置で固定する。この状態で、再び、同様の操作を行うことにより、前回より小さい電球の交換作業を行うことができる。
【００４９】
挟持面２９の最小開度より小さい外形を有するグロースタータ等の小型電球Ｇを交換する場合には、図２に鎖線で示すように、伸縮ボス部材２７をアーム固定部１７から引出し、伸縮ボス部材２７の頂部２７ａを揺動アーム２１の挟持面２９の頂部２９ａより突出させて固定する。
【００５０】
この状態で、図４に示すように、伸縮ボス部材２７に設けられた円筒ゴム管４３を小型電球Ｇに押し付けると、スリット４５が設けられた円筒ゴム管４３が弾性変形して中空部４３ａが拡開し、中空部４３ａ内に小型電球Ｇの下部が配置され、円筒ゴム管４３の弾性により保持される。この状態で、支持棒１１を回動させれば、小型電球を照明器具から取り外して、新たな小型電球に交換することができる。
【００５１】
以上のような構成の電球交換器具１０によれば、揺動アーム２１の端部２１ｂを放射方向外側に付勢する圧縮バネ２３と、端部２１ｂを放射方向外側から当接することにより係止するストッパ装置２５とを備えているので、各挟持面２９をストッパ装置２５のストッパ当接部３７ｂの支持棒１１からの距離に対応する最小開度で維持することができる。このストッパ装置２５の支持棒１１からの距離が長さ調整部３５により調整可能であるので、ストッパ装置２５を調整することにより、挟持面２９の最小開度を自在に調整することができる。
そのため、挟持面２９の最小開度を電球Ｒのガラス球ｒ１の外形に応じた適度な開度に調整すれば、外形の異なる電球Ｒであっても、最小開度と電球の外形との差に基づく適切な挟持力で電球Ｒを挟持することができ、そのままの状態にすれば、電球Ｒを挟持した状態を容易に維持することが可能である。
従って、過剰な挟持力により、電球保持装置１３の嵌合時や挟持時に、電球Ｒのガラス球ｒ１が破損されることがない。また、電球Ｒを回動させる時には、挟持力が不足して電球を回動し難くなることもない。そのため、確実な電球の交換作業が行い易い。
しかも、揺動アーム２１の他方の端部２１ｂをそれぞれ放射方向外側に向けて付勢すると共に、長さ調整部３５を備えたストッパ装置２５によりその端部２１ｂを外側から係止すればよいため、構成を簡単にし易い。
【００５２】
この電球交換器具１０では、揺動アーム２１の挟持面２９が設けられている端部２１ａの放射方向の厚さが薄く、しかも、揺動アーム２１の端部２１ａ側の傾斜角度が小さいため、より狭い空間やより奥まった位置に装着されている電球であっても、一対の揺動アーム２１の端部２１ａ側を挿入して電球を挟持することが可能である。
【００５３】
この電球保持具１０では、ストッパ装置２５が複数の揺動アーム２１の端部２１ｂを貫通するストッパロッド３７ａを有し、圧縮バネ２３がストッパロッド３７ａに沿って揺動アーム２１と支持棒１１との間に配置されているので、揺動アーム２１の端部２１ｂがストッパロッド３７ａに案内されて揺動できると共に、そのストッパロッド３７ａに沿って圧縮バネ２３で付勢されるため、揺動アーム２１の揺動動作が滑らかであり、しかも、各揺動アーム２１毎に最小開度や圧縮力を調整することができ、使い勝手がよい。
また、圧縮バネ２３がストッパロッド３７ａの周囲に装着されているので、圧縮バネ２３とストッパロッド３７ａとをコンパクトに配置することができる。
【００５４】
この電球交換器具１０によれば、ストッパ装置２５に設けられた長さ調整部３５が、互いに螺合する雌ねじ部３３ａ及び雄ねじ部３７ｃからなるので、支持棒１１からのストッパ装置２５の距離を簡単な構成で自在に調整することができる。
【００５５】
この電球交換器具１０では、挟持面２９がクッションシート３１を備え、このクッションシート３１が幅方向の中間部分に電球配置穴３１ａを有するので、電球Ｒを挟持する際、電球Ｒのガラス球ｒ１の外形の最も外側に突出した部分を各クッションシート３１の電球配置穴３１ａに配置して、クッションシート３１を電球の外形に応じて変形させて挟持することができ、電球Ｒを安定して挟持し易い。
【００５６】
この電球交換器具１０では、支持棒１１の先端から挟持面２９側に突出して設けられた伸縮ボス部材２７を備えているので、複数の挟持片の挟持面２９により電球を挟持する際、電球の下部を伸縮ボス部材２７により支持することができ、電球を安定して挟持し易い。
同時に、伸縮ボス部材２７の中心に円筒ゴム管４３を有するので、小型電球であっても保持することができ、同一の電球交換器具１０により、より多種類の電球の交換作業を行うことができ、使い勝手がよい。しかも、円筒ゴム管４３が伸縮ボス部材２７に設けられているので、部品の多機能化を図ることができ、部品点数を少なく抑えて、より簡単な構成にすることができる。
伸縮ボス部材２７が支持棒１１の先端に伸縮可能に装着されているので、下部電球支持具２７の位置を調整して、電球の下部を当接させれば、揺動アーム２１の挟持面２９で電球の最適な位置を挟持させ易い。
【００５７】
なお、上記実施の形態では、互いに対向する２個の揺動アーム２１を設けた例について説明したが、３個以上であってもよい。その場合、各揺動アーム２１が周方向に均等に配置されるのが好ましい。
【００５８】
上記では、ストッパ装置２５として、ストッパ当接部３７ｂとストッパ手段軸体３７ｃとが一体の頭部付ロッド３７を用いた例について説明したが、特に限定されるものではない。例えば、ストッパ当接部３７ｂとストッパ手段軸体３７ｃとが別体であってもよく、ストッパ手段軸体３７ｃがストッパ固定部３３に一体的に固定されて、ストッパ手段軸体３７ｂにストッパ当接部３７ｂが螺合された開度調整機構を備えていてもよい。
【図面の簡単な説明】
【００５９】
【図１】本発明に係る電球交換器具の正面図である。
【図２】図１の電球交換器具の電球保持機構の断面図である。
【図３】図１の電球交換器具の電球挟持部の斜視図である。
【図４】図１の電球交換器具の電球下部支持部の断面図である。
【図５】図１の電球交換器具により電球を挟持した状態示す図である。
【図６】図１の電球交換器具の電球挟持部及び電球下部支持部を図２と異なる位置に調整した状態の電球保持機構の断面図である。
【符号の説明】
【００６０】
１０            電球交換器具
１１            支持体
１３            電球保持装置
２１            揺動アーム
２１ａ、２１ｂ  端部
２３            圧縮バネ
２５            ストッパ装置
２７            伸縮ボス部材
２９            挟持面
３１            クッションシート
３１ａ          電球配置部
３３            ストッパ固定部
３５            長さ調整部
３７            頭付ロッド
３７ａ          ストッパロッド
３７ｂ          ストッパ当接部
４３            円筒ゴム管
【図１】
2006114334.tif 000003
【図２】
2006114334.tif 000004
【図３】
2006114334.tif 000005
【図４】
2006114334.tif 000006
【図５】
2006114334.tif 000007
【図６】
2006114334.tif 000008